(57)【要約】【課題】検査に必要な測定濃度範囲が２桁以上の場合であっても、試料中の測定対象物質を簡易、高感度かつ高精度に測定することができる、免疫反応測定方法、免疫反応測定キット及び免疫反応測定装置を提供する。【解決手段】試料中の測定対象物質を測定する免疫反応測定方法であって、前記測定対象物質に対して特異的に結合可能な複数の特異結合物質と前記試料とを接触させる工程（Ａ）、前記試料の光学特性を測定する工程（Ｂ）、及び前記工程（Ｂ）により測定された光学特性に基づき、前記試料中の前記測定対象物質の濃度を定量する工程（Ｃ）を含み、前記工程（Ａ）において前記複数の特異結合物質の前記測定対象物質に対する親和性が互いに異なり、かつ前記工程（Ｂ）において前記複数の特異結合物質が各々異なる色素により標識されている。【選択図】図３
2005337960.tif 000002
【特許請求の範囲】
【請求項１】
試料中の測定対象物質を測定する免疫反応測定方法であって、前記測定対象物質に対して特異的に結合可能な複数の特異結合物質と前記試料とを接触させる工程（Ａ）、前記試料の光学特性を測定する工程（Ｂ）、及び前記工程（Ｂ）により測定された光学特性に基づき、前記試料中の前記測定対象物質の濃度を定量する工程（Ｃ）を含み、前記工程（Ａ）において前記複数の特異結合物質の前記測定対象物質に対する親和性が互いに異なり、かつ前記工程（Ｂ）において前記複数の特異結合物質が各々異なる色素により標識されていることを特徴とする免疫反応測定方法。
【請求項２】
特異結合物質がモノクローナル抗体であることを特徴とする、請求項１記載の免疫反応測定方法。
【請求項３】
複数の特異結合物質が複数の第１のモノクローナル抗体と複数の第２のモノクローナル抗体とを含み、前記第１のモノクローナル抗体が測定対象物質に対して特異的に結合可能であって、前記複数の第１のモノクローナル抗体の前記測定対象物質に対する親和性が互いに異なり、かつ前記複数の第２のモノクローナル抗体が前記複数の第１のモノクローナル抗体の各々に対して特異的に結合可能であって、前記複数の第２のモノクローナル抗体が各々異なる色素により標識されており、工程（Ａ）が、前記複数の第１のモノクローナル抗体と試料とを接触させる工程（ａ１）と、前記工程（ａ１）の後に前記複数の第２のモノクローナル抗体と前記試料とを接触させる工程（ａ２）とを含み、工程（Ｂ）において、前記複数の第２のモノクローナル抗体に標識された前記色素に起因する前記試料の光学特性を測定することを特徴とする、請求項１記載の免疫反応測定方法。
【請求項４】
測定対象物質がＣ反応性蛋白質であることを特徴とする、請求項１〜３のいずれか１項に記載の免疫反応測定方法。
【請求項５】
化学式（化１）及び化学式（化２）で表される色素を用いることを特徴とする、請求項１〜４のいずれか１項に記載の免疫反応測定方法。
【化１】
2005337960.tif 000006
【化２】
2005337960.tif 000007
【請求項６】
試料中の測定対象物質を測定する免疫反応測定方法であって、前記測定対象物質に対して特異的に結合可能な複数の特異結合物質と前記試料とを接触させる工程（Ａ）、前記試料の光学特性を測定する工程（Ｂ）、及び前記工程（Ｂ）により測定された光学特性に基づき、前記試料中の前記測定対象物質の濃度を定量する工程（Ｃ）を含み、前記工程（Ａ）において前記複数の特異結合物質の前記測定対象物質に対する親和性が互いに異なり、かつ前記工程（Ｂ）において前記複数の特異結合物質が各々異なる色素により標識されていることを特徴とする免疫反応測定方法に用いられる測定キットであって、前記各々異なる色素により標識された前記複数の特異結合物質を含むことを特徴とする免疫反応測定キット。
【請求項７】
複数の特異結合物質が複数の第１のモノクローナル抗体であり、前記複数の第１のモノクローナル抗体の測定対象物質に対する親和性が互いに異なり、かつ前記複数の第１のモノクローナル抗体が各々異なる色素により標識されており、試料が流れるための流路、前記流路内に設けられ、前記複数の第１のモノクローナル抗体が保持されている標識部、及び前記流路内であって前記標識部と異なる位置に設けられ、前記測定対象物質に対して特異的に結合可能な複数の第２のモノクローナル抗体が保持されている測定部を備え、前記流路に供給された試料が前記標識部を通過した後前記測定部に到達するように、前記標識部と前記測定部とが配置され、前記複数の第１のモノクローナル抗体が前記試料とともに移動可能に前記標識部に保持されていることを特徴とする、請求項６記載の免疫反応測定キット。
【請求項８】
請求項６または７記載の測定キットを用いて試料中の測定対象物質を測定するための免疫反応測定装置であって、前記測定キットを保持するための保持部、前記測定キット中の測定部へ照射する光を出射するための光源、及び前記測定部で反射した光または前記測定部を透過した光を検出するための検出器を有することを特徴とする、免疫反応測定装置。
【発明の詳細な説明】
【技術分野】
【０００１】
本発明は、ヘルスケア及び医療に関わる検査の分野において、免疫反応を原理として測定対象物を測定する方法、測定キット及び測定装置に関する。
【背景技術】
【０００２】
臨床検査とは、病気の診断、治療、病気の早期発見や予防になくてはならない検査である。年々新しい検査が採用され、検査項目は非常に多岐にわたり１０００種類にも余ると言われている。
【０００３】
検査内容は様々な分類があり、疾患による分類、サンプル（血液、尿、その他）による分類、その他適宜都合の良い分類が使われている。
【０００４】
検査のトレンドとしては大きく二つの流れがある。一つは最近まで重要視されていた流れで、大型の測定機器を使用して大量のサンプルに対して非常に多項目の測定を同時に短時間で処理する方向である。
【０００５】
もう一つの流れは、より検査対象者に近い場所で、簡易センサを用いて、より簡便に必要な検査を短時間で行う方向である。
【０００６】
従来、この簡易センサは感度、測定精度、ダイナミックレンジなどにおいて、大型機器に大きく劣っていたが、より高感度、高精度、広いダイナミックレンジなどを目指して様々な工夫が施されてきた。
【０００７】
例えば、測定に使用する標識モノクローナル抗体に導入する反応基質数（例えばチオール基数）を所定の範囲にコントロールすることにより測定精度を向上させたり、標識モノクローナル抗体としてモノクローナルモノクローナル抗体とポリクローナルモノクローナル抗体を併用することにより広い測定範囲で十分な感度、高精度を目指していた（例えば、特許文献１参照）。
【０００８】
また、被測定物質におけるエピトープ及びアフィニティーがそれぞれ互いに異なる３種類以上のモノクローナル抗体を含む抗体溶液を用い、各モノクローナル抗体の分子数比によって、測定可能な被測定物質の濃度範囲及び検出感度を変化させることが試みられていた（例えば、特許文献２参照）。
【特許文献１】特開平１０−１９７５３３号公報
【特許文献２】欧州特許出願公開第１３６５２４３号明細書
【発明の開示】
【発明が解決しようとする課題】
【０００９】
しかし、ある種の検査では、２桁以上の広い測定濃度範囲が必要とされている。例えば、Ｃ反応性蛋白質（以下、ＣＲＰと略称する）測定の場合、（表１）に示すように、正常域と考えられる０．１ｍｇ／ｄｌ以下から、重症細菌感染症の可能性が考えられる１０ｍｇ／ｄｌを超える濃度まで定量する必要がある（出典：臨床検査ガイド、文光堂）。
【００１０】
【表１】
2005337960.tif 000003
【００１１】
また最近では、冠動脈疾患のマーカーとして微量ＣＲＰが注目されており、低濃度領域の高感度定量の必要性がより重要となっている。また、高濃度領域の定量についても、１００ｍｇ／ｄｌ付近までの必要性があると言われている。
【００１２】
しかしながら上記従来の方法のうち、標識モノクローナル抗体に導入する反応基質数をコントロールする方法では、モノクローナル抗体自身が持つ感度及び測定レンジを越えることは不可能であるため、検査に必要な測定濃度範囲が２桁以上である場合、十分な感度及び精度を達成することができないという問題があった。また、抗体としてポリクローナルモノクローナル抗体を使用する方法では、実用に耐えうるためには抗体のロット毎に詳細な条件設定が必要であった。
【００１３】
また、特許文献２に記載の方法では、モノクローナル抗体と被測定物質との反応を、各モノクローナル抗体それぞれについて分離して測定していなかった。そのため、各抗体から得られる測定値が重なって、見かけ上の測定値が同じであるが、抗体ごとに得られる測定値が異なる場合が発生し、それを分離分析できないため測定の精度が低くなるおそれがあった。
【００１４】
そこで本発明は上記従来の問題点に鑑み、必要とされる測定濃度範囲が２桁以上の場合であっても、試料中の測定対象物質を簡易、高感度かつ高精度に測定することができる、免疫反応測定方法、免疫反応測定キット及び免疫反応測定装置を提供することを目的とする。
【課題を解決するための手段】
【００１５】
上記従来の課題を解決するために、本発明の免疫反応測定方法は、試料中の測定対象物質を測定する免疫反応測定方法であって、前記測定対象物質に対して特異的に結合可能な複数の特異結合物質と前記試料とを接触させる工程（Ａ）、前記試料の光学特性を測定する工程（Ｂ）、及び前記工程（Ｂ）により測定された光学特性に基づき、前記試料中の前記測定対象物質の濃度を定量する工程（Ｃ）を含み、前記工程（Ａ）において前記複数の特異結合物質の前記測定対象物質に対する親和性が互いに異なり、かつ前記工程（Ｂ）において前記複数の特異結合物質が各々異なる色素により標識されていることを特徴とする。
【００１６】
また、本発明の免疫反応測定キットは、試料中の測定対象物質を測定する免疫反応測定方法であって、前記測定対象物質に対して特異的に結合可能な複数の特異結合物質と前記試料とを接触させる工程（Ａ）、前記試料の光学特性を測定する工程（Ｂ）、及び前記工程（Ｂ）により測定された光学特性に基づき、前記試料中の前記測定対象物質の濃度を定量する工程（Ｃ）を含み、前記工程（Ａ）において前記複数の特異結合物質の前記測定対象物質に対する親和性が互いに異なり、かつ前記工程（Ｂ）において前記複数の特異結合物質が各々異なる色素により標識されていることを特徴とする免疫反応測定方法に用いられる測定キットであって、前記各々異なる色素により標識された前記複数の特異結合物質を含むことを特徴とする。
【００１７】
また、本発明の免疫反応測定装置は、上記本発明の測定キットを用いて試料中の測定対象物質を測定するための免疫反応測定装置であって、前記測定キットを保持するための保持部、前記測定キット中の測定部へ照射する光を出射するための光源、及び前記測定部で反射した光または前記測定部を透過した光を検出するための検出器を有することを特徴とする。
【発明の効果】
【００１８】
本発明の免疫反応測定方法、免疫反応測定キット及び免疫反応測定装置によれば、２桁以上の広い測定濃度範囲を必要とする場合であっても、試料中の測定対象物質を簡易、高感度かつ高精度に測定することができる。
【発明を実施するための最良の形態】
【００１９】
本発明の免疫反応測定方法は、試料中の測定対象物質を測定する免疫反応測定方法であって、前記測定対象物質に対して特異的に結合可能な複数の特異結合物質と前記試料とを接触させる工程（Ａ）、前記試料の光学特性を測定する工程（Ｂ）、及び前記工程（Ｂ）により測定された光学特性に基づき、前記試料中の前記測定対象物質の濃度を定量する工程（Ｃ）を含み、前記工程（Ａ）において前記複数の特異結合物質の前記測定対象物質に対する親和性が互いに異なり、かつ前記工程（Ｂ）において前記複数の特異結合物質が各々異なる色素により標識されていることを特徴とする。
【００２０】
また、本発明の免疫反応測定キットは、試料中の測定対象物質を測定する免疫反応測定方法であって、前記測定対象物質に対して特異的に結合可能な複数の特異結合物質と前記試料とを接触させる工程（Ａ）、前記試料の光学特性を測定する工程（Ｂ）、及び前記工程（Ｂ）により測定された光学特性に基づき、前記試料中の前記測定対象物質の濃度を定量する工程（Ｃ）を含み、前記工程（Ａ）において前記複数の特異結合物質の前記測定対象物質に対する親和性が互いに異なり、かつ前記工程（Ｂ）において前記複数の特異結合物質が各々異なる色素により標識されていることを特徴とする免疫反応測定方法に用いられる測定キットであって、前記各々異なる色素により標識された前記複数の特異結合物質を含むことを特徴とする。
【００２１】
また、本発明の免疫反応測定装置は、上記本発明の測定キットを用いて試料中の測定対象物質を測定するための免疫反応測定装置であって、前記測定キットを保持するための保持部、前記測定キット中の測定部へ照射する光を出射するための光源、及び前記測定部で反射した光または前記測定部を透過した光を検出するための検出器を有することを特徴とする。
【００２２】
このようにすると、測定対象物質に対する親和性が互いに異なる各特異結合物質の分子数比により、測定対象物質と特異結合物質との反応の感度を制御することができるので、工程（Ｂ）において、各色素の吸収スペクトルをそれぞれ測定することにより、広い測定濃度範囲を必要とする場合であっても、試料中の測定対象物質を簡易、高感度かつ高精度に測定することができる。
【００２３】
ここで、特異結合物質がモノクローナル抗体であることが好ましい。このようにすると、モノクローナル抗体自身が持つ感度及び測定レンジを越えて、必要とされる測定濃度範囲が２桁以上の場合であっても、試料中の測定対象物質を簡易、高感度かつ高精度に測定することができる。
【００２４】
また、本発明の免疫反応測定方法において、複数の特異結合物質が複数の第１のモノクローナル抗体と複数の第２のモノクローナル抗体とを含み、前記第１のモノクローナル抗体が測定対象物質に対して特異的に結合可能であって、前記複数の第１のモノクローナル抗体の前記測定対象物質に対する親和性が互いに異なり、かつ前記複数の第２のモノクローナル抗体が前記複数の第１のモノクローナル抗体の各々に対して特異的に結合可能であって、前記複数の第２のモノクローナル抗体が各々異なる色素により標識されており、工程（Ａ）が、前記複数の第１のモノクローナル抗体と試料とを接触させる工程（ａ１）と、前記工程（ａ１）の後に前記複数の第２のモノクローナル抗体と前記試料とを接触させる工程（ａ２）とを含み、工程（Ｂ）において、前記複数の第２のモノクローナル抗体に標識された前記色素に起因する前記試料の光学特性を測定してもよい。このようにすると、より感度を上げ、ダイナミックレンジを広げることができる。
【００２５】
本発明において、試料としては、例えば、血液、尿、便、唾液、汗、滲出液等の生体試料が挙げられる。
【００２６】
本発明において、測定対象物質としては、例えば、血液成分としてはＣＲＰ、ヘモグロビン、総タンパク質、総コレステロール、中性脂肪、ＡＳＴ、ＡＬＴ、ＬＤＨ、ＡＬＰ、γ−ＧＴ、尿素窒素、クレアチニン、尿酸、乳酸、Ｈｂｓ抗原、抗体などが挙げられる。尿成分としてはタンパク、糖、ウロビリノゲン、潜血、亜硝酸塩などが挙げられる。また、便では潜血などが挙げられる。この中では、測定対象物質がＣＲＰであることが好ましい。
【００２７】
本発明において、色素としては、例えば、シアニン系色素、フルオレッセイン系色素、ダンシル系色素等が挙げられる。色素として、それぞれの色素の吸収ピークを分離して分析可能な程度に、互いの吸収ピークが離れているものを用いることが好ましい。ここでは、短波長側の夾雑物質の影響をより低減するために、最も長波長側に吸収のあるシアニン系色素が望ましい。例えば、化学式（化１）及び化学式（化２）で表される色素を用いると、化学式（化１）で表される色素（以下、ＳＬＩＣ３と略称する）は約５５０ｎｍに吸収ピークを有し、化学式（化２）で表される色素（以下、ＳＬＩＣ５と略称する）は約６５０ｎｍに吸収ピークを有するため、互いに分離して吸収スペクトルを容易に測定することができる。
【００２８】
【化１】
2005337960.tif 000004
【００２９】
【化２】
2005337960.tif 000005
【００３０】
また、本発明の免疫反応測定キットは、複数の特異結合物質が複数の第１のモノクローナル抗体であり、前記複数の第１のモノクローナル抗体の測定対象物質に対する親和性が互いに異なり、かつ前記複数の第１のモノクローナル抗体が各々異なる色素により標識されており、試料が流れるための流路、前記流路内に設けられ、前記複数の第１のモノクローナル抗体が保持されている標識部、及び前記流路内であって前記標識部と異なる位置に設けられ、前記測定対象物質に対して特異的に結合可能な複数の第２のモノクローナル抗体が保持されている測定部を備え、前記流路に供給された試料が前記標識部を通過した後前記測定部に到達するように、前記標識部と前記測定部とが配置され、前記複数の第１のモノクローナル抗体が前記試料とともに移動可能に前記標識部に保持されていることが好ましい。このようにすると、Ｂ／Ｆ分離不要の簡易測定を行うことができる。
【００３１】
以下、本発明の実施の形態について、図面を参照しながら説明する。
【００３２】
（実施の形態１）
図１及び図２は、本発明の一実施の形態においてモノクローナル抗体に標識した色素の吸収スペクトルである。図１及び図２において、横軸は波長、縦軸は吸光度を示す。
【００３３】
図１において使用した色素はＳＬＩＣ３である。この色素を用いてモノクローナル抗体を標識した後、色素の吸収スペクトルを測定すると、図１に示すように５５０ｎｍ付近に吸収のピークを示した。
【００３４】
図２において使用した色素はＳＬＩＣ５である。この色素を用いてモノクローナル抗体を標識した後、色素の吸収スペクトルを測定すると、図２に示すように６５０ｎｍ付近に吸収のピークを示した。
【００３５】
ここで確認出来るように、それぞれの色素標識モノクローナル抗体は異なった波長に吸収のピークを有するため、混在した状態でもそれぞれのピークを計算することができる。まず工程（Ａ）として、ある抗原に対して親和性の異なる２種類のモノクローナル抗体を、それぞれＳＬＩＣ３色素、ＳＬＩＣ５色素で標識したものを準備し、それらを抗原を含有するサンプル溶液と反応させる。次に、Ｂ／Ｆ分離した後、工程（Ｂ）として、サンプル溶液の５５０ｎｍ及び６５０ｎｍの波長の吸光度を測定する。
【００３６】
工程（Ｃ）において、工程（Ｂ）で測定した５５０ｎｍ及び６５０ｎｍの波長の吸光度から、２波長の検量線を元にサンプル溶液中に含まれる抗原の濃度を定量することができる。このようにすれば、モノクローナル抗体自身が持つ感度及び測定レンジを越えて、必要とされる測定濃度範囲が２桁以上の場合であっても、サンプル溶液中に含まれる抗原の濃度を１回の波長測定により測定することができる。
【００３７】
（実施の形態２）
図３は本発明の一実施の形態における免疫反応測定キットの構造及び測定原理を示す概略図であり、図４は本発明の一実施の形態における免疫反応測定装置の構造を示す概略図である。
【００３８】
図３に示すように、本実施の形態における免疫反応測定キットは、サンプル溶液を移動させる流路１１、流路１１内に設けられた標識部である移動相１２、及び流路１１内であって移動相１２とは異なる位置に設けられた測定部である固相１３を有する。ここで、移動相１２には、互いに異なる色素で標識された複数の第１のモノクローナル抗体が、サンプル溶液に可溶化状態で担持されている。固相１３には、第２のモノクローナル抗体が、サンプル溶液に溶解しない状態で固定化されている。
【００３９】
抗原を含有するサンプル溶液を流路１１の一方の端近傍に導入すると、流路１１の他方の端に向かってサンプル溶液が流れる。サンプル溶液が移動相１２に到達すると、移動相１２に担持されている色素標識モノクローナル抗体がサンプル溶液に溶解する。これにより、サンプル溶液中の抗原と色素標識モノクローナル抗体とがサンプル溶液中において反応し、抗原−色素標識モノクローナル抗体複合体を形成しながら流れていく。その後、サンプル溶液が固相１３に到達すると、固相１３に存在するモノクローナル抗体と上記複合体とが抗原を挟んでサンドイッチ反応を起こし、サンプル溶液中に存在していた抗原の量に依存する量の色素標識モノクローナル抗体が固相１３にとどまる。
【００４０】
図４に示すように、本実施の形態における免疫反応測定装置は、ケース２１内に、図３に示す測定キットを保持するためのキット保持部２２、測定キット中の固相へ照射する光を出射するための光源２３、固相で反射した光を検出するための反射光検出器２４、及び固相を透過した光を検出するための吸光度検出器２５を有する。
【００４１】
図３に示す測定キットの流路にサンプル溶液を供給し、所定の時間が経過した後、図４に示す測定装置のキット保持部２２に測定キットを設置する。そして、光源２３から測定キットの固相に光を照射し、反射光検出器２４または吸光度検出器２５を用いて、固相における反射光または透過光を測定する。検量線と比較することにより、サンプル溶液中に含まれる抗原の濃度を定量することができる。このようにすれば、モノクローナル抗体自身が持つ感度及び測定レンジを越えて、必要とされる測定濃度範囲が２桁以上の場合であっても、サンプル溶液中に含まれる抗原の濃度を１回の波長測定により測定することができる。
【産業上の利用可能性】
【００４２】
本発明の免疫反応測定方法、免疫反応測定キット及び免疫反応測定装置は、ヘルスケア及び医療に関わる検査の分野において、測定対象物質の検査に必要な測定濃度範囲が広い場合に有用である。
【図面の簡単な説明】
【００４３】
【図１】本発明の一実施の形態に係る免疫反応測定方法において用いた、モノクローナル抗体に標識した色素であるＳＬＩＣ３の吸収スペクトルを示す図
【図２】同免疫反応測定方法において用いた、モノクローナル抗体に標識した色素であるＳＬＩＣ５の吸収スペクトルを示す図
【図３】本発明の一実施の形態に係る免疫反応測定キットの構造及び測定原理を示す概略図
【図４】本発明の一実施の形態に係る免疫反応測定装置の構造を示す概略図
【符号の説明】
【００４４】
１１    流路
１２    移動相
１３    固相
２１    ケース
２２    キット保持部
２３    光源
２４    反射光検出器
２５    吸光度検出器
【図１】
2005337960.tif 000008
【図２】
2005337960.tif 000009
【図３】
2005337960.tif 000010
【図４】
2005337960.tif 000011